(57)【要約】      （修正有）【課題】電力系統に停電を発生させず、機器に流れる電流を測定する測定装置の切り替え方法を提供する。【解決手段】電力系統に設置された機器の電流を測定するために直列に接続される第１の測定装置３０と第２の測定装置３５との間において、当該第１の測定装置３０が直列に接続されている状態から、当該第２の測定装置３５が直列に接続される状態への切り替え方法であって、当該第１の測定装置３０に機器の電流が流れる状態と流れない状態とを変更可能な素子６０を当該第１の測定装置３０に並列に接続する第１のステップと、当該第１の測定装置３０に機器の電流が流れないよう、当該素子６０の状態を設定する第２のステップと、第２の測定装置を直列に接続するとともに、当該第１の測定装置３０を外す第３のステップと、当該第２の測定装置３５に機器の電流が流れるよう、当該素子６０の状態を設定する第４のステップと、を含む。【選択図】図３
2012023935.tif 000002
【特許請求の範囲】
【請求項１】
電力系統に設置された機器と、
前記電力系統に設置され、前記機器の電流を測定するために前記機器の電流が流れる配線に直列に接続される第１の測定装置と、
前記電力系統に設置され、前記機器の電流を測定するために前記配線に直列に接続される第２の測定装置と、の間において、
前記第１の測定装置が前記配線に直列に接続されている状態から、前記第２の測定装置が前記配線に直列に接続される状態へ切り替える測定装置の切り替え方法であって、
前記第１の測定装置に前記機器の電流が流れる状態と、前記第１の測定装置に前記機器の電流が流れない状態とを変更可能な素子を、前記第１の測定装置に並列となるように、前記配線に接続する第１のステップと、
前記第１の測定装置に前記機器の電流が流れないよう、前記素子の状態を設定する第２のステップと、
前記配線に前記第２の測定装置を前記配線に直列に接続するとともに、前記第１の測定装置を前記配線から外す第３のステップと、
前記第２の測定装置に前記機器の電流が流れるよう、前記素子の状態を設定する第４のステップと、
を含むことを特徴とする測定装置の切り替え方法。
【請求項２】
請求項１に記載の測定装置の切り替え方法であって、
前記素子は、
前記配線に接続された際に、前記素子に前記機器の電流が流れないような状態が設定可能であり、
前記第４のステップの後に、前記素子に前記機器の電流が流れないよう前記素子の状態を変更し、前記素子を前記配線から外す第５のステップを含むこと、
を特徴とする測定装置の切り替え方法。
【請求項３】
請求項２に記載の測定装置の切り替え方法であって、
前記第１の測定装置を前記配線から外す前に、前記第１の測定装置の電流が流れなくなることを確認する第６のステップを含むこと、
を特徴とする測定装置の切り替え方法。
【請求項４】
請求項１〜３に記載の測定装置の切り替え方法であって、
前記第３のステップでは、
前記配線に前記第２の測定装置を直列に接続した後に、前記第１の測定装置を前記配線から外すこと、
を特徴とする測定装置の切り替え方法。
【請求項５】
請求項１〜３に記載の測定装置の切り替え方法であって、
前記第３のステップでは、
前記第１の測定装置を前記配線から外した後に、前記配線に前記第２の測定装置を直列に接続すること、
を特徴とする測定装置の切り替え方法。
【請求項６】
請求項１〜５に記載の測定装置の切り替え方法であって、
前記素子は、可変抵抗器であること、
を特徴とする測定装置の切り替え方法。
【請求項７】
請求項１〜５に記載の測定装置の切り替え方法であって、
前記素子は、スイッチであること、
を特徴とする測定装置の切り替え方法。
【発明の詳細な説明】
【技術分野】
【０００１】
本発明は、測定装置の切り替え方法に関する。
【背景技術】
【０００２】
電力系統には、遮断器、断路器等の機器に流れる電流を測定するテレコン装置等の測定装置が設けられている。テレコン装置が老朽化すると、テレコン装置は、例えば適切に遮断器等に流れる電流を測定できなくなる。このため、古くなったテレコン装置は、新しいテレコン装置に切り替えられる必要がある（例えば、特許文献１参照）。
【先行技術文献】
【特許文献】
【０００３】
【特許文献１】特許第４２５６８７６号公報
【発明の概要】
【発明が解決しようとする課題】
【０００４】
一般的にテレコン装置は、遮断器に流れる電流を計測するために、配線を介して遮断器に接続される。テレコン装置と遮断器との間の配線に電流が流れている状態で配線を遮断器から取り外す場合、遮断器と配線との間にアークが発生することがある。このようなアークの発生を抑制するために、一般的には遮断器を含む電力系統の一部を停電させ、遮断器に流れる電流をゼロとした後に配線が外される。そして、電力系統が停電している間に、古いテレコン装置から新しいテレコン装置に切り替えられる。しかしながら、このような方法でテレコン装置を切り替える場合、アークの発生は抑制されて作業の安全性は確保されるものの、電力系統に停電を発生させる必要がある。
【０００５】
本発明は上記課題を鑑みてなされたものであり、電力系統に停電を発生させず、機器に流れる電流を測定する測定装置を切り替える方法を提供することを目的とする。
【課題を解決するための手段】
【０００６】
上記目的を達成するため、本発明の一つの側面に係る測定装置の切り替え方法は、電力系統に設置された機器と、前記電力系統に設置され、前記機器の電流を測定するために前記機器の電流が流れる配線に直列に接続される第１の測定装置と、前記電力系統に設置され、前記機器の電流を測定するために前記配線に直列に接続される第２の測定装置と、の間において、前記第１の測定装置が前記配線に直列に接続されている状態から、前記第２の測定装置が前記配線に直列に接続される状態へ切り替える測定装置の切り替え方法であって、前記第１の測定装置に前記機器の電流が流れる状態と、前記第１の測定装置に前記機器の電流が流れない状態とを変更可能な素子を、前記第１の測定装置に並列となるように、前記配線に接続する第１のステップと、前記第１の測定装置に前記機器の電流が流れないよう、前記素子の状態を設定する第２のステップと、前記配線に前記第２の測定装置を前記配線に直列に接続するとともに、前記第１の測定装置を前記配線から外す第３のステップと、前記第２の測定装置に前記機器の電流が流れるよう、前記素子の状態を設定する第４のステップと、を含む。
【発明の効果】
【０００７】
本発明によれば、電力系統に停電を発生させず、機器に流れる電流を測定する測定装置を切り替える方法を提供することができる。
【図面の簡単な説明】
【０００８】
【図１】電流測定システム１０ａの構成を示す図である。
【図２】電流測定システム１０ｂの構成を示す図である。
【図３】可変抵抗器６０の抵抗値がゼロの場合の電流測定システム１０ｂにおける電流の流れを説明するための図である。
【図４】可変抵抗器６０の抵抗値をゼロから増加させた場合の電流測定システム１０ｂにおける電流の流れを説明するための図である。
【図５】テレコン装置３０が外された際の電流測定システム１０ｂの構成を示す図である。
【図６】可変抵抗器６０が外された際の電流測定システム１０ｂの構成を示す図である。
【図７】テレコン装置が切り替えられる際に実施される処理の一例である。
【発明を実施するための形態】
【０００９】
本明細書および添付図面の記載により、少なくとも以下の事項が明らかとなる。  
図１は、電流測定システム１０ａの構成を示す図である。電流測定システム１０ａは、制御所（不図示）からの指示により、電力系統に設けられた遮断器１５（機器）の電流を測定するためのシステムである。遮断器１５は、例えば、電気系統における所定の送電線（不図示）を遮断できるように所定の送電線の間に設けられている。
【００１０】
電流測定システム１０ａは、テレコン装置（ＴＣ）３０、及び中継端子盤３１を含んで構成される。
【００１１】
テレコン装置３０（第１の測定装置）は、遮断器１５に流れる電流を測定するとともに、入力される指示に基づいて、測定結果を電流情報として制御所に出力する。テレコン装置３０は、電流計４０、インターフェース装置（ＩＦ装置）４１、及び端子４２，４３を含んで構成される。
【００１２】
電流計４０は、端子４２，４３の間に直列に設けられ、端子４２，４３の間に流れる電流を測定する。ＩＦ装置４１は、入力される指示に基づいて、電流計４０が測定する測定結果を電流情報として制御所に出力する。
【００１３】
中継端子盤３１は、端子５０ａ〜５７ａ，５０ｂ〜５７ｂを含む端子盤である。端子５０ａ〜５７ａの夫々と端子５０ｂ〜５７ｂとの間は、中継端子盤３１の内部の配線を介して接続されている。また、端子５２ａは、端子５１ａ及び遮断器１５の端子２１に接続され、端子５３ａは、端子５０ａ及び遮断器１５の端子２０に接続される。なお、本実施形態において各端子間は、図１に示すように配線を介して接続されている。
【００１４】
端子５３ｂ及び端子５４ｂ、端子５４ａ及び端子５５ａ、端子５５ｂ及び端子５６ｂ、端子５２ｂ及び端子５７ｂの夫々は接続されている。さらに、端子５６ａと端子４２は接続され、端子５７ａと端子４３は接続されている。このため、遮断器１５の端子２０から流れる電流は、端子５３ａ→端子５３ｂ→端子５４ｂ→端子５４ａ→端子５５ａ→端子５５ｂ→端子５６ｂ→端子５６ａ→端子４２という経路を経て電流計４０に入力される。また、電流計４０から出力される電流は、端子４３→端子５７ａ→端子５７ｂ→端子５２ｂ→端子５２ａ→端子２１という経路を経て遮断器１５の端子２１に入力される。このように、電流計４０は、遮断器１５の電流が流れる配線に直列に接続されているため、電流計４０は、遮断器１５に流れる電流を測定することができる。
【００１５】
＝＝テレコン装置の切り替え方法の一例＝＝
ここで、テレコン装置３０が例えば老朽化した場合において、テレコン装置３０から新しいテレコン装置へと切り替える方法の一例を図２〜７を参照しつつ説明する。なお、図２〜６に示す電流測定システム１０ｂには、図１に示す構成に加え、新しいテレコン装置３５及び可変抵抗器６０が含まれている。
【００１６】
テレコン装置３５（第２の測定装置）は、テレコン装置３０と同様に、遮断器１５に流れる電流を測定するとともに、入力される指示に基づいて、測定結果を電流情報として制御所に出力する。テレコン装置３５は、電流計４５、ＩＦ装置４６、及び端子４７，４８を含んで構成される。なお、電流計４５、ＩＦ装置４６、端子４７，４８の夫々は、電流計４０、ＩＦ装置４１、端子４２，４３と同様である。
【００１７】
可変抵抗器６０（素子）は、操作部（不図示）の操作結果により抵抗値が変化する抵抗器である。可変抵抗器６０の抵抗値は、例えば、ゼロから、電流計４０，４５の内部抵抗より十分大きい値まで変化する。なお、詳細は後述するが、可変抵抗器６０は、電流計４０，４５と並列に接続される。このため、可変抵抗器６０の抵抗値を変化させることにより、電流計４０，４５に遮断器１５の電流が流れる状態と、流れない状態とを変更させることができる。また、図７は、テレコン装置を切り替える際に、例えば、作業者が実施する処理の一例である。
【００１８】
まず作業者は、図２に示すように、新しいテレコン装置３５を用意する（Ｓ１００）。そして、テレコン装置３５の電流計４５が正常であるか否か、すなわち電流計４５の内部抵抗が所望の値より小さいか否かを試験する（Ｓ１０１）。なお、処理Ｓ１０１において、電流計４５の内部抵抗を測定する際には、例えば絶縁抵抗計（不図示）が用いられる。そして、試験結果が正常でない場合（Ｓ１０１：ＮＯ）、すなわち、内部抵抗が所望の値より大きい場合、試験結果が正常となるようなテレコン装置が選定されるまで上記の処理１００を実施する。一方、試験結果が正常の場合、すなわち、電流計４５の抵抗値が所望の値より小さい場合（Ｓ１０１：ＹＥＳ）、該当するテレコン装置を切り替えるための新たなテレコン装置とする。なお、ここでは、電流計４５の内部抵抗は所望の値より小さく、試験結果は正常であることとする。
【００１９】
つぎに、作業者は、可変抵抗器６０がテレコン装置３０と並列になるよう、可変抵抗器６０を端子５０ｂ，５１ｂの間に接続する（Ｓ１０２：第１のステップ）。なお、処理Ｓ１０２が実行される際、可変抵抗器６０の抵抗値は例えば最大の状態であることとする。可変抵抗器６０の抵抗値が最大の場合、前述のように可変抵抗器６０の抵抗値は、電流計４０の内部抵抗より十分大きい。したがって、遮断器１５の電流は、並列接続された可変抵抗器６０と電流計４０のうち、可変抵抗器６０にはほとんど流れることは無い。このため、遮断器１５の電流は、図２における実線の矢印で示すように、図１と同様の経路を流れる。
【００２０】
そして、作業者は、可変抵抗器６０の抵抗値をゼロに設定する（Ｓ１０３：第２のステップ）。この結果、図２の点線の矢印で示すように、並列に接続された可変抵抗器６０とテレコン装置３０とのうち可変抵抗器６０に遮断器１５の電流のほぼ全てが流れ、テレコン装置３０に流れる電流は、ほぼゼロになる。なお、作業者は、可変抵抗器６０の抵抗値をゼロに変更すると、電流計４０に電流が流れなくなることを確認する（Ｓ１０３）。電流計４０の電流がほぼゼロとなると、作業者は、端子５４ａ，５５ａの間の配線を外し、テレコン装置３５を端子５４ａ，５５ａの間に接続する（Ｓ１０４：第３のステップ）。なお、端子５４ａ，５５ａの間の配線を外す際には、端子５４ａ，５５ａの間の配線に流れる電流はほぼゼロであるため、アーク等が発生することは無い。また、この際、図３に示すように、テレコン装置３５はテレコン装置３０と直列となる。その後、作業者は、図４に示すように、テレコン装置３０，３５と並列に接続された可変抵抗器６０の抵抗値をゼロから徐々に増加させ、電流計４０，４５に電流が流れることを確認する（Ｓ１０５）。なお、処理１０５が実行されることにより、テレコン装置３５と端子５４ａ，５５ａとの間の接続状態の確認が可能となる。具体的には、例えば、テレコン装置３５と端子５４ａ，５５ａとの間の接続状態が悪く、端子５４ａ，５５ａの間が実質的に開放されている場合、可変抵抗器６０の抵抗値が増加されても、電流計４０，４５には電流が流れることは無い。このような場合は、再度テレコン装置３５を端子５４ａ，５５ａに接続する。
【００２１】
そして、作業者は、テレコン装置３０を取り外すために、テレコン装置３０，３５に流れる電流がゼロとなるよう、可変抵抗器６０の抵抗値をゼロに変更し、電流計４０，４５の電流値を確認する（Ｓ１０６：第６のステップ）。可変抵抗器６０の抵抗値がゼロとなると、前述のように、遮断器１５の電流のほぼ全ては可変抵抗器６０に流れる。そして、作業者は、図５に示すように、テレコン装置３０を端子５６ａ，５７ａから外すとともに、端子５６ａ，５７ａを配線で短絡する（Ｓ１０７：第３のステップ）。その後作業者は、可変抵抗器６０の抵抗値を最大まで増加させる（Ｓ１０８：第４のステップ）。この結果、新しいテレコン装置３５に遮断器１５の電流が流れることになる。そして、図６に示すように、作業者は可変抵抗器６０を外す（Ｓ１０９：第５のステップ）。このように、テレコン装置３０は、テレコン装置３５に切り替えられる。また、処理Ｓ１０８が実行された後にテレコン装置３５に指示が入力されると、テレコン装置３５は、遮断器１５の電流を示す電流情報を制御所に出力する。
【００２２】
以上、電流測定システム１０におけるテレコン装置の切り替え方法について説明した。本実施形態では、テレコン装置３０からテレコン装置３５へと切り替える際に、例えば処理Ｓ１０２で実施されるように、可変抵抗器６０をテレコン装置３０に並列となるよう、端子５０ｂ，５１ｂを介して配線に接続する。そして、テレコン装置３０に遮断器１５の電流が流れないように、可変抵抗器６０の抵抗値を設定し（例えば、Ｓ１０３）、テレコン装置３５を配線に直列接続するとともに（例えば、Ｓ１０４）、テレコン装置３０を配線から外す（例えば、Ｓ１０７）。そして、最終的に、テレコン装置３５に遮断器１５の電流が流れるように、可変抵抗器６０の抵抗値を設定する（例えば、Ｓ１０８）。ここでは、テレコン装置３０が取り外される際には、テレコン装置３０に流れる電流はほぼゼロであるため、アークが発生することは無い。このため、このような方法でテレコン装置を切り替えることにより、作業者は、遮断器１５が設けられている電力系統を停電させることなく、かつ、安全にテレコン装置を切り替えることができる。
【００２３】
また、可変抵抗器６０の抵抗値は、例えば、電流計４０，４５の内部抵抗より十分大きい値まで変化させることができる。このため、例えば、抵抗値が最大まで増加された可変抵抗器６０に流れる電流はほぼゼロである。したがって、例えば処理Ｓ１０９において可変抵抗器６０が外される際には、可変抵抗器６０と端子５０ｂ，５１ｂとの間でアークが発生することを抑制できる。
【００２４】
また、テレコン装置３０を外す前に、作業者はテレコン装置３０に電流が流れなくなることを確認する（例えば、Ｓ１０６）。このため、テレコン装置３０を外す際には、より確実にアークの発生を抑制できる。
【００２５】
また、本実施形態では、テレコン装置３５を配線に直列に接続した後に、テレコン装置３０を配線から外している。なお、テレコン装置３５は、端子５４ａ，５５ａの間に接続されるが、これに限られるものでは無い。例えば、端子５２ｂ，５３ｂの間等にテレコン装置３５を接続しても良い。このような場合、テレコン装置３０が外されると、端子５６ａ，５７ａの間は開放されるため、テレコン装置３５に流れる電流は、可変抵抗器６０の抵抗値に応じて変化することになる。
【００２６】
また、可変抵抗器６０に遮断器１５の電流のほぼ全てが流れる状態において、テレコン装置３０を配線から外した後に、テレコン装置３５を配線に直列に接続しても良い。このような順番でテレコン装置を切り換えても、本実施形態と同様に、遮断器１５が設けられる電力系統に停電を発生させず、安全にテレコン装置を切り替えることができる。
【００２７】
また、本実施形態では、端子５０ｂ，５１ｂの間に可変抵抗器６０を設けている。可変抵抗器６０を用いることにより、テレコン装置３０，３５に遮断器１５の電流が流れる状態と、流れない状態とを変更させることができる。
【００２８】
また、可変抵抗器６０の代わりに、端子５０ｂ，５１ｂの間にスイッチを設けても良い。スイッチを用いる場合であっても、テレコン装置３０，３５に遮断器１５の電流が流れる状態と、流れない状態とを変更させることができる。つまり、スイッチがオンされた状態では、スイッチに遮断器１５の電流のほぼ全てが流れ、スイッチがオフされた状態では、テレコン装置３０，３５に遮断器１５の電流の全てが流れる。このため、スイッチを用いた場合であっても、電力系統に停電を発生させることなくテレコン装置を切り替えることができる。
【００２９】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００３０】
テレコン装置３０，３５は、遮断器１５の電流を測定することとしたが、例えば、断路器や、各種保護継電器等に流れる電流を測定することとしても良い。
【００３１】
また、テレコン装置を切り替える際に、テレコン装置３０を端子５６ａ，５７ａから外した後に、テレコン装置３５を端子５６ａ，５７ａに接続しても良い。なお、この場合、テレコン装置３５が接続される場所は端子５６ａ，５７ａの間に限られない。テレコン装置３５は、遮断器１５と直列になり、可変抵抗器６０と並列になるように配線に接続されれば、本実施形態と同様の効果を得ることができる。
【符号の説明】
【００３２】
１０  電流測定システム
１５  遮断器
２０，２１，４２，４３，４７，４８，５０ａ〜５７ａ，５０ｂ〜５７ｂ  端子
３０，３５  テレコン装置（ＴＣ）
３１  中継端子盤  
４０，４５  電流計
４１，４６  ＩＦ装置
６０  可変抵抗器
【図１】
2012023935.tif 000003
【図２】
2012023935.tif 000004
【図３】
2012023935.tif 000005
【図４】
2012023935.tif 000006
【図５】
2012023935.tif 000007
【図６】
2012023935.tif 000008
【図７】
2012023935.tif 000009